(57)【要約】【課題】要求流量が微小であっても付臭剤を正確に注入できるようにする。【解決手段】天然ガス１のガス導管２の途中位置に、薬品タンク４から付臭剤３を送出する定量ポンプ５の吐出側を、圧力制御弁１５と微少流量計１１と流量制御弁１２を順に取り付けた付臭剤供給管７を介し接続する。要求流量Ｆ０と微少流量計１１による流量検出値Ｆ１を一致させるように流量制御弁１２の開度を制御する流量制御装置１３を備える。流量制御弁１２の一次側と二次側に、ポンプ出口圧力計１６とガス導管内圧力計１７をそれぞれ設け、該各圧力計１６と１７の差圧が所定の差圧ΔＰとなるように圧力制御弁１５の開度を制御する圧力制御装置１８を設ける。付臭剤３の注入を行う場合は、圧力制御装置１８により流量制御弁１５の一次側と二次側の差圧を一定に保持した状態にて、流量調整弁１２の開度を制御して付臭剤３の注入流量を調整する。【選択図】        図１
2004174462.tif 000002
【特許請求の範囲】
【請求項１】
注入先配管の途中位置に、薬品タンク内より定量ポンプにて送出する薬品を、流量制御弁を備えた薬品供給管を通して注入するときに、上記流量制御弁の一次側圧力と二次側圧力を検出して、該一次側圧力検出値と二次側圧力検出値との間に所定の差圧が保持されるように上記定量ポンプの出口側圧力を制御し、上記流量制御弁の一次側と二次側に所定の差圧を保持した状態にて、注入すべき薬品の要求流量を満足させるように上記流量制御弁の開度を制御して薬品の注入を行わせるようにすることを特徴とする薬品注入方法。
【請求項２】
注入先配管の途中位置に、薬品タンクから薬品を送出するようにしてある定量ポンプを接続して、流量計と流量制御弁を設けると共に、上記薬品供給ラインにおける流量制御弁の一次側圧力と二次側圧力を検出するための圧力計と上記定量ポンプ出口圧力を制御する圧力制御弁とを設け、且つ上記一次側圧力計による検出値と上記二次側圧力計による検出値の間に予め設定された所定差圧を保持させることができるように上記圧力制御弁の開度を制御する圧力制御装置と、上記注入先配管へ注入すべき薬品の要求流量と上記流量計における検出値が一致するように上記流量制御弁の開度を制御する流量制御装置とを備えてなる構成を有することを特徴とする薬品注入装置。
【請求項３】
注入先配管へ注入すべき薬品の要求流量に対して、一次側圧力計による検出値と二次側圧力計による検出値との差圧に応じた圧力補正を加えた後、定量ポンプへ出力指令を与えることができるようにしてあるポンプ制御装置を備えた請求項２記載の薬品注入装置。
【請求項４】
薬品供給ラインにおける流量制御弁よりも下流側位置に、該流量制御弁の一次側圧力と二次側圧力に差圧があり且つ薬品注入の要求流量がある場合にのみ開放される自動遮断弁を設けた請求項２又は３記載の薬品注入装置。
【発明の詳細な説明】
【０００１】
【発明の属する技術分野】
本発明は天然ガス等の無臭ガスに付臭剤を注入する等、配管内を流通する対象流体に、微量の薬品を注入するために用いる薬品注入方法及び装置に関するものである。
【０００２】
【従来の技術】
天然ガスは発電用燃料として、又、工場や家庭にて燃料として広く使用されているが、この天然ガスは無臭であり、漏洩するとその検出が困難であるため、臭いの元となる薬品、すなわち、付臭剤を注入して混ぜ、あえて臭いを付けて供給するようにしている。
【０００３】
従来、上記天然ガスに付臭剤を注入する場合は、図２にその一例の概要を示す如く、付臭剤３の注入先配管となる天然ガス１流通用ガス導管２の途中に、流量計６を備えた薬品供給管としての付臭剤供給管７を接続して、該付臭剤供給管７に、付臭剤３を収納した薬品タンク４に吸入側を接続して該薬品タンク４内の付臭剤３を送り出すことができるようにしてある定量ポンプ５の吐出側を接続し、更に、上記ガス導管２を流通する天然ガス１の量に応じて決定される付臭剤３の注入すべき量（要求流量）に応じて、上記定量ポンプ５のストローク及び回転数を制御するポンプ制御部８を備えてなる付臭剤注入装置を構成して、上記ガス導管２を流れる天然ガス１の量に応じて要求流量が定まると、該要求流量に基づいて、ポンプ制御部８より上記定量ポンプ５へ指令を与え、該定量ポンプ５を所要のストローク及び回転数で運転させることにより、薬品タンク４内より付臭剤供給管７を通して所要量の付臭剤３を上記ガス導管２内へ注入し、該ガス導管２内を流通する天然ガス１へ所定の割合で混合することができるようにしてある。
【０００４】
なお、上記ガス導管２との接続部の近傍となる付臭剤供給管７の下流側端部には、ガス導管２内を流通する天然ガス１の圧力が変動して定量ポンプ５による付臭剤３の吐出圧力より高くなった場合にも、上記ガス導管２側より付臭剤供給管７側へ逆流が生じることを防止するための逆止弁９が設けてある。又、１０は付臭剤供給管７の途中位置より分岐させて下流側端部を薬品タンク４に接続した付臭剤戻し管であり、定量ポンプ５より吐出される付臭剤３のうち、過剰分は上記付臭剤戻し管１０を通して薬品タンク４へ戻すことができるようにしてある。
【０００５】
ところで、天然ガス１の付臭を行う場合、送ガス量に対する付臭剤３の注入濃度は１２〜１６ｍｇ／ｍ３（Ｎｏｒｍａｌ）／ｈの範囲とすることが望まれる。一方、ガス導管２を流通する天然ガス１の送ガス量は２７００〜１５００００ｍ３（Ｎｏｒｍａｌ）／ｈの幅で変動することがあり、このため付臭剤の注入量は、３２〜２４００ｇ／ｈと微少流量から広い範囲に亘って調整することが求められる。
【０００６】
又、上記ガス導管２内にて天然ガス１を流通させる場合、上記ガス導管２内の圧力は、３．５〜４．５Ｍｐａの範囲で圧力変動することがある。
【０００７】
なお、薬品を注入する他の手法としては、たとえば、薬品と水を所定の混合比で混合してなる薬液を製造する場合に、該薬液の要求量に応じて上記薬品の注入量と、該薬品を注入、混合すべき対象となる水の供給量の双方を、共に制御することが広く行われている（たとえば、特許文献１参照）。
【０００８】
【特許文献１】
特開昭５８−１１５２０４号公報
【０００９】
【発明が解決しようとする課題】
ところが、上記従来の付臭剤注入装置では、定量ポンプ５のストローク制御と回転数制御を行うことのみによって付臭剤３の流量を調整していたため、注入先となるガス導管２内の圧力が変動すると、流量が定まらないという問題があると共に、上記定量ポンプ５におけるストロークと回転数を制御する方式では、付臭剤３の微少流量での注入が難しいという問題があり、更に、流量制御の制御性が悪いことから、要求流量に対して実際の注入量との偏差が大きいという問題もある。
【００１０】
更に又、付臭剤３の微小流量時には、付臭剤供給管７における注入点付近に設けてある逆止弁９が注入の妨げとなるため、正確な注入ができないという問題もある。
【００１１】
従来は、要求量に対する実際の注入量の誤差に関しては、あまりシビアな要求はなされていなかったが、近年では高い制御性を求められるようになり、このため付臭剤３の注入量が３２ｇ／ｈというような微少流量の場合であっても正確に注入できるようにすることが求められるようになってきている。
【００１２】
なお、上記特許文献１に記載された薬品注入方法の如く、薬品と該薬品を注入すべき対象の供給量をともに制御する方法は、上記ガス導管２内を流通する天然ガス１に付臭剤３を注入する場合のように、注入先配管を圧力変動しながら流通する流体に対して、薬品の注入量のみを制御しながら注入する場合には適用できないものである。
【００１３】
そこで、本発明は、圧力変動する注入先配管に、微少流量であっても薬品の注入を正確に行うことができるようにするための薬品注入方法及び装置を提供しようとするものである。
【００１４】
【課題を解決するための手段】
本発明は、上記課題を解決するために、注入先配管の途中位置に、薬品タンク内より定量ポンプにて送出する薬品を、流量制御弁を備えた薬品供給管を通して注入するときに、上記流量制御弁の一次側圧力と二次側圧力を検出して、該一次側圧力検出値と二次側圧力検出値との間に所定の差圧が保持されるように上記定量ポンプの出口側圧力を制御し、上記流量制御弁の一次側と二次側に所定の差圧を保持した状態にて、注入すべき薬品の要求流量を満足させるように上記流量制御弁の開度を制御して薬品の注入量を制御する薬品注入方法、及び、注入先配管の途中位置に、薬品タンクから薬品を送出するようにしてある定量ポンプを接続して、流量計と流量制御弁を設けると共に、上記薬品供給ラインにおける流量制御弁の一次側圧力と二次側圧力を検出するための圧力計と上記定量ポンプ出口圧力を制御する圧力制御弁とを設け、且つ上記一次側圧力計による検出値と上記二次側圧力計による検出値の間に予め設定された所定差圧を保持させることができるように上記圧力制御弁の開度を制御する圧力制御装置と、上記注入先配管へ注入すべき薬品の要求流量と上記流量計における検出値が一致するように上記流量制御弁の開度を制御する流量制御装置とを備えてなる構成を有する薬品注入装置とする。
【００１５】
注入先配管の圧力が変動すると、この圧力変動が流量制御弁二次側圧力計により検出され、その二次側圧力の検出値に基づいて、圧力制御装置により圧力制御弁の開度が制御されて、上記流量制御弁の一次側圧力と二次側圧力との間に所定の差圧が形成されて保持される。この状態において、薬品の要求流量を満たすように流量制御装置により流量制御弁の開度が制御されるため、注入先配管の圧力変動に影響を受けることなく正確な流量の薬品が、上記注入先配管に対して注入されるようになる。
【００１６】
又、注入先配管へ注入すべき薬品の要求流量に対して、一次側圧力計による検出値と二次側圧力計による検出値との差圧に応じた圧力補正を加えた後、定量ポンプへ出力指令を与えることができるようにしてあるポンプ制御装置を備えた構成とすることにより、流量制御弁の一次側と二次側との差圧を一定に保つときに、定量ポンプのポンプ能力を、上記流量制御弁の一次側圧力と二次側圧力との実測値に基づいて制御できるため、流量制御弁の一次側圧力に要求される絶対値が低い場合に、定量ポンプの無駄な運転を防止できると共に、ポンプ能力を適宜変化させることにより、圧力制御弁による流量制御弁一次側圧力と二次側圧力との差圧の制御を容易なものとすることができて、圧力制御弁に要求される能力を引き下げることも可能になる。
【００１７】
更に、薬品供給ラインにおける流量制御弁よりも下流側位置に、該流量制御弁の一次側圧力と二次側圧力に差圧があり且つ薬品注入の要求流量がある場合にのみ開放される自動遮断弁を設けた構成とすることにより、注入先配管の圧力が、定量ポンプの吐出圧力より高くなった場合や、注入すべき薬品の要求流量がない場合に、逆流を確実に防止できると共に、従来の逆止弁を用いて逆流防止を図る場合に生じていた如き薬品の微少流量時に注入の妨げが生じる虞をなくすことができて、微少流量であっても薬品を注入先配管へ正確に注入することができる。
【００１８】
【発明の実施の形態】
以下、本発明の実施の形態を図面を参照して説明する。
【００１９】
図１は本発明の薬品注入方法及び装置の実施の一形態として天然ガス１へ付臭剤３を注入する場合に適用した場合について示すもので、図２に示したものと同様に、付臭剤３の注入先配管となるガス導管２の途中位置に、薬品タンク４内の付臭剤３を送出できるようにしてある定量ポンプ５の吐出側を、付臭剤供給管７を介して接続した構成において、該付臭剤供給管７に流量計６と逆止弁９を設けることに代えて、流量計として、たとえば、コリオリ式等の微少流量計１１と流量制御弁１２を設け、且つガス導管２を流通する天然ガス１の送ガス量に基づいて決定される要求流量と、上記微少流量計１１による検出値が一致するように上記流量制御弁１２の開度を制御する流量制御装置１３を備える。
【００２０】
更に、付臭剤供給管７における定量ポンプ５の直後位置より分岐させた分岐管１４を、上記薬品タンク４に接続すると共に、上記分岐管１４の途中位置に、圧力制御弁１５を設けて、該圧力制御弁１５の開度を調整して、上記定量ポンプ５から付臭剤供給管７を通して流量制御弁１２側へ付臭剤３を送るときに、その一部を圧力制御弁１５、分岐管１４を経て薬品タンク４へ戻すことにより、上記定量ポンプ５より付臭剤供給管７を通して供給される付臭剤３の上記流量制御弁１２の一次側圧力を変化させることができるようにする。更に又、上記流量制御弁１２の一次側の圧力を検出する一次側圧力計としてのポンプ出口圧力計１６を、上記分岐管１４における圧力制御弁１５よりも上流側位置に設けると共に、流量制御弁１２の二次側圧力を検出する二次側圧力計として、ガス導管２内の圧力を検出するガス導管内圧力計１７を、ガス導管２における付臭剤供給管７の接続部よりも上流側位置に設け、上記ポンプ出口圧力計１６とガス導管内圧力計１７によりそれぞれ検出される流量制御弁１２の一次側圧力と二次側圧力の検出信号に基づいて上記圧力制御弁１５の開度を制御することにより、流量制御弁１２の一次側圧力と二次側圧力との間に所定の差圧を付与できるようにした圧力制御装置１８を備える。
【００２１】
更に又、ガス導管２内を流通する天然ガス１の送ガス量に基づいて決定される付臭剤３の要求流量に対し、上記圧力制御装置１８より出力される流量制御弁１２の一次側圧力と二次側圧力の実測値に基いて圧力補正を行った後、定量ポンプ５のストローク及び回転数を制御するポンプ制御装置１９を備える。
【００２２】
ここで、上記各制御装置について詳述する。
【００２３】
上記流量制御装置１３は、ガス導管２内を流通する天然ガス１の送ガス量に基づいて図示しない要求流量指令部から注入すべき付臭剤３の要求流量Ｆ０が与えられた場合に、該要求流量Ｆ０と、微少流量計１１より送られる付臭剤３の流量検出値Ｆ１とを比較する比較器２０、該比較器２０にて求められる上記要求流量と流量検出値との差（Ｆ０−Ｆ１）が零になるように、ＰＩＤ演算を行って上記流量制御弁１２に開閉指令ＣＦを発するＰＩＤ演算器２１とを備えた構成としてある。
【００２４】
上記圧力制御装置１８は、ガス導管内圧力計１７より送られる流量制御弁１２の二次側圧力Ｐ２の検出値に、上記流量制御弁１２にて流量を制御する場合に一次側圧力Ｐ１と二次側圧力Ｐ２との間に所望される所定の差圧ΔＰを加える加算器２２、該加算器２２にて算出される二次側圧力と所望差圧との和（Ｐ２＋ΔＰ）を、ポンプ出口圧力計１６より送られる流量制御弁１２の一次側圧力Ｐ１の検出値と比較する比較器２３、及び、該比較器２３にて算出される上記二次側圧力と所望差圧との和と、一次側圧力との差（Ｐ２＋ΔＰ−Ｐ１）が零になるように、ＰＩＤ演算を行って圧力制御弁１５へ開度指令ＣＰを発するＰＩＤ演算器２４とを備えた構成として、ガス導管２内を流通する天然ガス１の圧力が変化した場合には、該変化に追従して流量制御弁１２の一次側圧力Ｐ１と二次側圧力Ｐ２の差圧が常時所定の値、すなわち、ΔＰにて一定に保持できるようにしてある。
【００２５】
更に、上記圧力制御装置１８には、上記比較器２３にて算出される二次側圧力と所望差圧との和と、一次側圧力との差（Ｐ２＋ΔＰ−Ｐ１）の値に基づいてＰＩＤ演算を行ってポンプ制御装置１９へ圧力補正信号Ｓを発するＰＩＤ演算器２５を設け、一方、上記ポンプ制御装置１９には、要求流量指令部から付臭剤３の要求流量Ｆ０が与えられた場合に、該要求流量Ｆ０に対し上記圧力制御装置１８のＰＩＤ演算器２５より発せられる圧力補正信号Ｓにより補正を加えた後、定量ポンプ５のストローク及び回転数を決定して該定量ポンプ５へ出力指令ＣＯを与える演算器２６を備えた構成としてあり、これにより、上記定量ポンプ５への出力指令ＣＯを、圧力補正を加えてなるものとして、定量ポンプ出口側圧力、すなわち、流量制御弁１２の一次側圧力Ｐ１が、流量制御弁二次側圧力と所望差圧との和（Ｐ２＋ΔＰ）に対して低いときには、定量ポンプ５のポンプ能力を上げ、一方、流量制御弁一次側圧力Ｐ１が、上記流量制御弁二次側圧力と所望差圧との和（Ｐ２＋ΔＰ）に対して大幅に高い場合には、ポンプ能力を自動的に引き下げ、これにより、定量ポンプ５による流量制御弁一次側圧力Ｐ１の加圧を適正に行うことができるようにしてある。
【００２６】
更に又、付臭剤供給管７における流量制御弁１２の下流側位置に、自動遮断弁２７を設け、且つ上記流量制御装置１３に、付臭剤３の要求流量Ｆ０を出力するモニタスイッチ２８を設けると共に、圧力制御装置１８に、比較器２３の下流側にて流量制御弁１２の一次側圧力Ｐ１と二次側圧力Ｐ２との実差圧を出力するモニタスイッチ２９を設け、更に、上記モニタスイッチ２８より出力される付臭剤３の要求流量Ｆ０が有り、且つモニタスイッチ２９にて流量制御弁一次側圧力Ｐ１が二次側圧力Ｐ２よりも高いことが示された場合にのみ上記自動遮断弁２７に開指令Ｃを与える論理回路３０を設けて、付臭剤３の要求流量Ｆ０がない（Ｆ０＝０）場合や、流量制御弁１２の一次側圧力Ｐ１が二次側圧力Ｐ２よりも低い場合には、上記自動遮断弁２７を自動的に閉塞させて、ガス導管２側からの逆流を防止できるようにする。
【００２７】
なお、上記流量制御弁１２と微少流量計１１としては、ガス導管２を流通する天然ガス１の送ガス量の変化に追従して付臭剤３の注入量を変化させることができるように、３２〜２４００ｇ／ｈの流量範囲をカバーできるレンジアビリティーの大きいものを使用するようにする。又、流量制御弁１２の一次側と二次側の差圧を安定させるために、定量ポンプ５と流量制御弁１２はできるだけ近付けることができるように、付臭剤供給管７の全長を短くすることが好ましい。
【００２８】
各制御装置にて使用するコントローラは、一般のシーケンサやワンループコントローラ、ＤＣＳ等を使用すればよい。
【００２９】
上記構成としてある付臭剤注入装置を用いてガス導管２を流通する天然ガス１に付臭剤３を注入する場合、ポンプ制御装置１９からの出力指令ＣＯに従って定量ポンプ５を運転した状態において、上記ガス導管２を流通する送ガス量に応じて付臭剤３の要求流量Ｆ０が決定されて要求流量指令部より与えられると、流量制御装置１３では、付臭剤供給管７を流通する付臭剤３の流量検出値Ｆ１が上記要求流量Ｆ０と一致するように流量制御弁１２に対し開度指令ＣＦが発せられて、該流量制御弁１２の開度が制御されることにより、上記要求流量Ｆ０に応じた流量の付臭剤３が、上記ガス導管２内を流通する天然ガス１へ注入される。この際、圧力制御装置１８による圧力制御弁１５の制御により、付臭剤３の注入先となるガス導管２内の圧力が変化しても、上記流量制御弁１２の一次側と二次側の差圧は常に所定の値ΔＰで一定となるように制御されているため、上記流量制御弁１２の開度の変化に追従して、正確な流量の付臭剤３がガス導管２へ注入されるようになる。
【００３０】
このように、上記本発明の付臭剤注入方法及び装置によれば、流量制御弁１２の開度の制御により付臭剤３の注入流量を調整するようにしてあるので、従来の定量ポンプ５の運転制御のみによって付臭剤３の注入流量を制御する場合に比して、要求流量Ｆ０に見合う正確な流量の付臭剤３をガス導管２へ注入することができ、しかも、ガス導管２内の圧力が変化しても流量制御弁１２の一次側と二次側の差圧を一定に保持することができるため、注入先となるガス導管内圧力の変化に影響を受けることなく、上記流量制御弁１２の開度の変化に追従した正確な流量の付臭剤３を注入することができる。
【００３１】
又、上記流量制御弁１２の一次側と二次側との差圧を一定に保つときに、一次側圧力Ｐ１を与える定量ポンプ５のポンプ能力自体を、上記流量制御弁１２の一次側圧力Ｐ１と二次側圧力Ｐ２との実測値に基づいて制御するようにしてあるため、一次側圧力Ｐ１に要求される絶対値が低い場合に、定量ポンプ５の無駄な運転を防止できると共に、ポンプ能力を適宜変化させることにより、圧力制御弁１５による一次側圧力Ｐ１と二次側圧力Ｐ２との差圧の制御を容易なものとすることができて、圧力制御弁１５に要求される能力を引き下げることも可能になる。
【００３２】
更に、自動遮断弁２７により、ガス導管２側からの逆流を防止できるようにしてあるため、従来の逆止弁９を用いて逆流防止を図る場合に生じていた如き付臭剤３の微少流量時の注入の妨げが生じる虞はなく、たとえ微少流量であっても付臭剤３をガス導管２へ正確に注入することができる。
【００３３】
これらのことから、ガス導管２を流通する天然ガス１の送ガス量が２７００〜１５００００ｍ３（Ｎｏｒｍａｌ）／ｈと大幅に変化するような場合であっても、その送ガス量の変化に追従して付臭剤３を、３２〜２４００ｇ／ｈというように微少流量から大きな範囲に亘り正確に注入することが可能になる。更に、この正確な注入は、注入先となるガス導管２内の圧力変動に影響されることなく実施することができることから、付臭剤３の注入濃度を常時規定内に制御することが可能となる。
【００３４】
なお、上記実施の形態では、天然ガス１に付臭剤３を注入する場合について説明したが、他のガスに付臭する場合についても同様に適用することができ、更には、注入先配管内を圧力変動しながら流通する対象流体に対して、所要の薬品を、微少流量から大幅な範囲に亘って注入する場合にも適用できること、流量制御弁１２と微少流量計１１は、注入すべき薬品量の範囲の全体をカバーすることができれば、任意の流量範囲に対応したものを用いてよく、又、任意の形式のものを用いてよいこと、その他本発明の要旨を逸脱しない範囲内において種々変更を加え得ることは勿論である。
【００３５】
【発明の効果】
以上述べた如く、本発明の薬品注入方法及び装置によれば、次の如き優れた効果を発揮する。
（１）注入先配管の途中位置に、薬品タンク内より定量ポンプにて送出する薬品を、流量制御弁を備えた薬品供給管を通して注入するときに、上記流量制御弁の一次側圧力と二次側圧力を検出して、該一次側圧力検出値と二次側圧力検出値との間に所定の差圧が保持されるように上記定量ポンプの出口側圧力を制御し、上記流量制御弁の一次側と二次側に所定の差圧を保持した状態にて、注入すべき薬品の要求流量を満足させるように上記流量制御弁の開度を制御して薬品の注入量を制御する薬品注入方法、及び、注入先配管の途中位置に、薬品タンクから薬品を送出するようにしてある定量ポンプを接続して、流量計と流量制御弁を設けると共に、上記薬品供給ラインにおける流量制御弁の一次側圧力と二次側圧力を検出するための圧力計と上記定量ポンプ出口圧力を制御する圧力制御弁とを設け、且つ上記一次側圧力計による検出値と上記二次側圧力計による検出値の間に予め設定された所定差圧を保持させることができるように上記圧力制御弁の開度を制御する圧力制御装置と、上記注入先配管へ注入すべき薬品の要求流量と上記流量計における検出値が一致するように上記流量制御弁の開度を制御する流量制御装置とを備えてなる構成を有する薬品注入装置としてあるので、流量制御弁の開度の制御により薬品の注入流量を調整することができて、従来の定量ポンプの運転制御のみによって付臭剤の注入流量を制御する場合に比して、要求流量に見合う正確な流量の薬品を注入先配管へ注入することができ、しかも、注入先配管内の圧力が変化しても、流量制御弁の一次側と二次側の差圧を一定に保持することができるため、注入先配管内の圧力の変化に影響を受けることなく、上記流量制御弁の開度の変化に応じて正確な流量の薬品を注入することができる。
（２）注入先配管へ注入すべき薬品の要求流量に対して、一次側圧力計による検出値と二次側圧力計による検出値との差圧に応じた圧力補正を加えた後、定量ポンプへ出力指令を与えることができるようにしてあるポンプ制御装置を備えた構成とすることにより、流量制御弁の一次側と二次側との差圧を一定に保つときに、定量ポンプのポンプ能力を、上記流量制御弁の一次側圧力と二次側圧力との実測値に基づいて制御できるため、流量制御弁の一次側圧力に要求される絶対値が低い場合に、定量ポンプの無駄な運転を防止できると共に、ポンプ能力を適宜変化させることにより、圧力制御弁による流量制御弁一次側圧力と二次側圧力との差圧の制御を容易なものとすることができて、圧力制御弁に要求される能力を引き下げることも可能になる。
（３）薬品供給ラインにおける流量制御弁よりも下流側位置に、該流量制御弁の一次側圧力と二次側圧力に差圧があり且つ薬品注入の要求流量がある場合にのみ開放される自動遮断弁を設けた構成とすることにより、注入先配管の圧力が、定量ポンプの吐出圧力より高くなった場合や、注入すべき薬品の要求流量がない場合に、逆流を確実に防止できると共に、従来の逆止弁を用いて逆流防止を図る場合に生じていた如き薬品の微少流量時に注入の妨げが生じる虞をなくすことができて、微少流量であっても薬品を注入先配管へ正確に注入することができる。
【図面の簡単な説明】
【図１】本発明の薬品注入方法及び装置の実施の一形態として付臭剤注入装置に適用した場合を示す概要図である。
【図２】従来の付臭剤注入装置の一例を示す概要図である。
【符号の説明】
２  ガス導管（注入先配管）
３  付臭剤（薬品）
４  薬品タンク
５  定量ポンプ
７  付臭剤供給ライン（薬品供給ライン）
１１  微少流量計（流量計）
１２  流量制御弁
１３  流量制御装置
１５  圧力制御弁
１６  ポンプ出口圧力計（一次側圧力計）
１７  ガス導管内圧力計（二次側圧力計）
１８  圧力制御装置
１９  ポンプ制御装置
２７  自動遮断弁
Ｐ１  一次側圧力（検出値）
Ｐ２  二次側圧力（検出値）
ΔＰ  差圧
Ｆ０  要求流量
Ｆ１  流量検出値（検出値）
Ｓ  圧力補正信号
ＣＯ  出力指令
【図１】
2004174462.tif 000003
【図２】
2004174462.tif 000004